(57)【要約】【課題】間隔を隔てて立設した両支柱の係止孔若しくは間仕切パネルの目地部に取付けた両ブラケットに、棚板の両端部を載置し、棚板の側端部若しくは隣接する棚板の接合部に仕切部材を取付けてなる収納棚における仕切装置において、棚板の側端部若しくは隣接する棚板の接合部に設けることができ、仕切部材自体も軽量であるにも係わらず強度が高く、しかも棚板に対する取付強度が高い収納棚における仕切装置を提供する。【解決手段】帯状材料をその長手方向に直角な折曲線で折曲して前脚部４２と後脚部４４を形成し、後脚部を棚板７の後端部に係合し、前脚部を棚板の前端部に係合して保持する。更に、後脚部の下端に係合部材４６を固定して、係合部材を棚板の後縁に設けた係合溝２６に係合し、棚板の前隅部に形成した開口に嵌着した保持部材１５の横長の保持溝に前脚部の下端を嵌挿した。【選択図】        図３
2008086535.tif 000002
【特許請求の範囲】
【請求項１】
間隔を隔てて立設した両支柱若しくは間仕切パネルの目地部に取付けた両ブラケットに、棚板の両端部を載置するとともに、棚板の側端部若しくは隣接する棚板の接合部に仕切部材を取付けてなる収納棚における仕切装置であって、帯状材料をその長手方向に直角な折曲線で折曲して少なくとも前部に前脚部を形成するとともに、後端に後脚部を形成し、該後脚部を棚板の後端部に係合するとともに、前記前脚部を棚板の前端部に係合して保持することを特徴する収納棚における仕切装置。
【請求項２】
前記仕切部材の前脚部の下端にスリットを形成し、隣接する棚板の連設部の後部に前記後脚部を係合するとともに、両棚板の前隅部に形成した開口に前記前脚部のスリットの両側部をそれぞれ嵌入して当該両棚板の開きを防止してなる請求項１記載の収納棚における仕切装置。
【請求項３】
前記仕切部材の後脚部の下端に横長ブロック状の合成樹脂製の係合部材を固定して、該係合部材を前記棚板の後縁に設けた前方開放した係合溝に横方向スライド可能に係合するとともに、前記棚板の前隅部に形成した開口に嵌着した合成樹脂製の保持部材の横長の保持溝に前記前脚部の下端を嵌挿してなる請求項１又は２記載の収納棚における仕切装置。
【請求項４】
前記仕切部材は、前下がりの傾斜部の前部に垂直な前脚部を折曲形成し、前記傾斜部の後部に水平な頂部を形成し、該頂部の後端に垂直な後脚部を折曲形成して側面視略三角形状に形成し、該後脚部の下端に後向きに直角に折曲形成した取付片に、前記係合部材を固定してなる請求項３記載の収納棚における仕切装置。
【請求項５】
前記仕切部材の前脚部の下端部には、左右中央部に下向きに開放したスリットを形成し、前記保持部材は、上端に鍔部を有するとともに、横方向一側に開放した横長の保持溝を形成し、前記棚板は上面板の側縁を下方に折曲して端面板を形成するとともに、前記開口は端面板を残して上面板の側端部に形成し、隣接する棚板の接合部において前記仕切部材の後端の係合部材を両棚板後縁の両係合溝に跨って係合する一方、各開口に前記保持部材をその保持溝の開放部を棚板の接合部側に向けて嵌着し、前記仕切部材の前脚部の下端を、そのスリット内に前記側端板を係合すると同時に、両保持部材の保持溝に嵌挿して取付けてなる請求項３又は４記載の収納棚における仕切装置。
【発明の詳細な説明】
【技術分野】
【０００１】
本発明は、収納棚における仕切装置に係わり、更に詳しくは支柱にブラケットを介して棚板を支持する収納棚における仕切装置に関するものである。
【背景技術】
【０００２】
従来から、間隔を隔てて立設した両支柱の係止孔を利用して、ブラケットの後端に突設したフックを嵌合係止するとともに、両ブラケットに棚板の両端部を載置した収納棚において、棚板の後縁に沿って設けた係合溝を利用して仕切部材を支持する構造は各種提供されている。
【０００３】
例えば、特許文献１には、１本の鋼線材を折曲して側面視略台形の本体部を形成し、線材の両端部に棒片をＴ形に固着した延長部を設け、上下に配した延長部の一方を上方へ折曲し、その折曲点を他方の延長部に固着し、棚板の後縁に沿って設けた係合溝に、両延長部の弾性を利用して両棒片を溝内に圧接して保持する構造のブックエンドが開示されている。尚、このブックエンドは、係合溝の任意の位置に移動させることができる。
【０００４】
また、特許文献２には、棚板の奥行き方向（幅方向）に沿った端部に、棚板の長手方向（間口方向）に沿って延びる上向き開口のガイド溝を形成し、前記棚板上の空間を棚板の長手方向に仕切る仕切板に、前記ガイド溝に摺動自在に嵌まるガイド部を設けた仕切装置において、前記ガイド溝を、その開口部の溝幅が底部の溝幅よりも小さいアリ溝状に形成する一方、前記仕切板を、棚板に重なり合う水平部とこの水平部から立ち上がった垂直部とを備えた形態に形成し、この仕切板の水平片に前記ガイド部を設け、このガイド部を、仕切板を側面視で傾けた姿勢にすることによって前記ガイド溝に嵌まり込むように形成していること、を特徴とする棚の仕切装置が開示されている。
【０００５】
何れの特許文献記載の仕切装置も、仕切部材の後部のみを係合溝に係合する片持ち構造でるから、横方向に対する支持強度が弱く、また支持強度を高めようとすれば、棒片やガイド部の横方向の寸法を大きくしなければならず、そうすれば今度は仕切部材を棚板の側端まで持っていくこことができないといった問題がある。但し、特許文献２に記載の仕切部材は、互いに鏡像関係にある二種類を用意しておけば、棚板の側端に設けることも可能であるが、部品点数が増えるので、コスト高となる。また、特許文献１の仕切部材は線材を折曲して本体部を形成しているので、本体部の強度が低く容易に変形する恐れがある。同様に、特許文献２の仕切部材は、強度を高めるためには板厚の厚い鋼板を用いる必要があり、重量が重くなるばかりでなく、水平部の板厚も厚くなるので、書籍等を立てる際に、棚板の上面板との間に段差が生じるので不都合が生じる。
【特許文献１】実公昭５１−３４４号公報
【特許文献２】実用新案登録第２５６８７９８号公報
【発明の開示】
【発明が解決しようとする課題】
【０００６】
そこで、本発明が前述の状況に鑑み、解決しようとするところは、間隔を隔てて立設した両支柱若しくは間仕切パネルの目地部に取付けた両ブラケットに、棚板の両端部を載置するとともに、棚板の側端部若しくは隣接する棚板の接合部に仕切部材を取付けてなる収納棚における収納棚における仕切装置において、棚板の側端部若しくは隣接する棚板の接合部に設けることができ、仕切部材自体も軽量であるにも係わらず強度が高く、しかも棚板に対する取付強度が高い収納棚における仕切装置を提供する点にある。
【課題を解決するための手段】
【０００７】
本発明は、前述の課題解決のために、間隔を隔てて立設した両支柱若しくは間仕切パネルの目地部に取付けた両ブラケットに、棚板の両端部を載置するとともに、棚板の側端部若しくは隣接する棚板の接合部に仕切部材を取付けてなる収納棚における仕切装置であって、帯状材料をその長手方向に直角な折曲線で折曲して少なくとも前部に前脚部を形成するとともに、後端に後脚部を形成し、該後脚部を棚板の後端部に係合するとともに、前記前脚部を棚板の前端部に係合して保持することを特徴する収納棚における仕切装置を構成した（請求項１）。
【０００８】
また、前記仕切部材の前脚部の下端にスリットを形成し、隣接する棚板の連設部の後部に前記後脚部を係合するとともに、両棚板の前隅部に形成した開口に前記前脚部のスリットの両側部をそれぞれ嵌入して当該両棚板の開きを防止してなることが好ましい（請求項２）。
【０００９】
ここで、前記仕切部材の後脚部の下端に横長ブロック状の合成樹脂製の係合部材を固定して、該係合部材を前記棚板の後縁に設けた前方開放した係合溝に横方向スライド可能に係合するとともに、前記棚板の前隅部に形成した開口に嵌着した合成樹脂製の保持部材の横長の保持溝に前記前脚部の下端を嵌挿してなることが好ましい（請求項３）。
【００１０】
具体的には、前記仕切部材は、前下がりの傾斜部の前部に垂直な前脚部を折曲形成し、前記傾斜部の後部に水平な頂部を形成し、該頂部の後端に垂直な後脚部を折曲形成して側面視略三角形状に形成し、該後脚部の下端に後向きに直角に折曲形成した取付片に、前記係合部材を固定してなることが好ましい（請求項４）。
【００１１】
また、前記仕切部材の前脚部の下端部には、左右中央部に下向きに開放したスリットを形成し、前記保持部材は、上端に鍔部を有するとともに、横方向一側に開放した横長の保持溝を形成し、前記棚板は上面板の側縁を下方に折曲して端面板を形成するとともに、前記開口は端面板を残して上面板の側端部に形成し、隣接する棚板の接合部において前記仕切部材の後端の係合部材を両棚板後縁の両係合溝に跨って係合する一方、各開口に前記保持部材をその保持溝の開放部を棚板の接合部側に向けて嵌着し、前記仕切部材の前脚部の下端を、そのスリット内に前記側端板を係合すると同時に、両保持部材の保持溝に嵌挿して取付けてなることも好ましい（請求項５）。
【発明の効果】
【００１２】
以上にしてなる請求項１に係る発明の収納棚における仕切装置は、仕切部材を、帯状の金属材料をその長手方向に直角な折曲線で折曲して少なくとも前部に前脚部を形成するとともに、後端に後脚部を形成したものとすることにより、側面視においてすっきりとした外観を呈するとともに、正面視では幅広の重厚感を出すことができ、しかも本体部は軽量であるにも係わらず横方向の曲げ強度が強いものとなり、そして後脚部を棚板の後端部に係合するとともに、前記前脚部を棚板の前端部に係合して保持するので、前後の２点支持により仕切部材の取付強度も高く、書籍等を安定に保持することができるのである。
【００１３】
請求項２によれば、前記仕切部材の前脚部のスリットの両側部をそれぞれ、両棚板の前隅部に形成した開口に嵌入することにより、隣接する棚板の連設部において当該両棚板の開きを防止することができる。
【００１４】
請求項３によれば、前記仕切部材の後脚部の下端に横長ブロック状の合成樹脂製の係合部材を固定して、該係合部材を前記棚板の後縁に設けた前方開放した係合溝に横方向スライド可能に係合するとともに、前記棚板の前隅部に形成した開口に嵌着した合成樹脂製の保持部材の横長の保持溝に前記前脚部の下端を嵌挿してなるので、仕切部材をガタつきなく確実に保持することができる。
【００１５】
請求項４によれば、仕切部材は側面視略三角形状のすっきりとした形状になるとともに、書籍等の棚板上への収納及びその取り出しの際に仕切部材が邪魔になることがないのである。
【００１６】
請求項５によれば、隣接する棚板の接合線上に共通の仕切部材を取付けることにより、同時に両棚板を前後左右方向のずれを防止して連結することができるのである。
【発明を実施するための最良の形態】
【００１７】
次に、添付図面に示した実施形態に基づき、本発明を更に詳細に説明する。図１及び図２は本発明に係る仕切装置を採用した収納棚を示し、図３〜図８は本発明に係る仕切装置の詳細を示し、図中符号１は支柱、２は机、３は脚体、４は脚取付部材、５は天板、６はブラケット、７は棚板、８は仕切部材をそれぞれ示している。
【００１８】
本実施形態の収納棚は、図１及び図２に示すように、側方へ同一のユニットを継ぎ足して横幅の広い収納棚を構成する連増しタイプのものであり、複数の支柱１，…を同一間隔毎に立設し、それぞれ机２，…で支持し、具体的には各支柱１に脚体３を脚取付部材４にて取付け、隣接する脚体３，３間に天板５を取付けて机２を構成し、該机２の上方で前記支柱の所定高さ位置にはブラケット６を着脱自在に取付けるとともに、隣接するブラケット６，６に棚板７の両側部を載置するとともに、前後左右及び上下方向の移動を規制した状態で支持し、更に棚板７の側端部と隣接する棚板７，７の連設部に仕切部材８，…を取付けた構造を有している。
【００１９】
更に、隣接する支柱１，１の上端間には連結杆９を渡設するとともに、前記天板５の下方で両脚体３，３の後端部間又は支柱１，１間に幕板１０を取付けている。尚、図示しないが、前記天板５の上方で隣接する支柱１，１間に、オプションとしてバックパネルを取付けることも可能である。
【００２０】
本実施形態では支柱１，…の前後両側に机２，２を取付けて、当該支柱１，…を立起状態に支持しているが、前記机２は片側のみであっても構わない。更に、前記机２の代わりに側面視逆Ｔ字形の接地部材を下端に設けたものでもよい。また、本実施形態では、支柱１，…は全て同一形状のものであり、等間隔で立設し、前記天板５及び棚板７は同一横幅であり、その側端面の位置は支柱１の中心線と略一致している。また、前記机２を構成する脚体３は全て同一形状であり、端部に位置する脚体３は天板５の側端面よりも内側位置に取付けてあり、また中間部に位置する脚体３は隣接する天板５，５に跨るように、該脚体３の中心線が隣接する天板５，５の接合線と一致するように設定している。
【００２１】
更に詳しくは、図３〜図５に示すように、前記支柱１の前後両面には、その中心線に沿って一列に係止孔１１，…を所定間隔毎に形成し、前記ブラケット６の垂直な基板１２の後端に前記係止孔１１，…に嵌合係止するフック１３，…を突設している。前記係止孔１１の横幅は、前記ブラケット６の基板１２の厚さの２倍より若干広く設定し、中間部の棚板７，７を連設する部分において、同一の係止孔１１，…に二つのブラケット６，６のフック１３，…が同時に嵌合係止できるようにしている。本実施形態では、最上段の前記フック１３は側面視略Ｔ字形であり、中段の前記フック１３は下向きフックであり、最下段のフック１３は突起状である。尚、前記支柱１，１の代わりに、間仕切パネルの目地部に位置する縦枠又は支柱に設けた係止孔を利用してブラケット６を取付けることも可能である。
【００２２】
そして、前記ブラケット６によって棚板７を支持する概略構成は、以下のようである。前記棚板７は上面板１４の周囲を下方へ折曲した下方開放の偏平箱型構造であり、前記ブラケット６は基板１２の後端に前記フック１３，…を形成し、前記基板１２と前記棚板７の側端面を略面一の状態で該棚板７を左右方向の移動を規制して載置するとともに、前方又は後方への棚板７の移動によって該棚板７の上方への移動を規制する係合手段を備え、更に前記棚板７に装着する保持部材１５又は仕切部材８によって該棚板７の後方又は前方への復帰移動を規制するようにしている。
【００２３】
具体的には、前記棚板７は、図３、図４、図７及び図８に示すように、上面板１４の前後縁を下方へ折曲して前補強縁１６と後補強縁１７を形成するとともに、側縁を下方へ折曲して側端板１８と該側端板１８から内方へ折曲した下面板１９を形成し、該下面板１９の前後中間部に前後方向のスリット孔２０を形成するとともに、該下面板１９の前端部を切欠して開放部２１を形成し、更に前記上面板１４の下面の前部に断面略コ字形の横補強部材２２を横設するとともに、該横補強部材２２の側端部の後面に縦長の係合孔２３を形成している。更に、前記棚板７の後端縁には、前記後補強縁１７の外面側に当止部材２４を固着し、該当止部材２４は上面板１４より上方へ突出し、この突出部を当該棚板７に載置した書籍等の後当りとする。そして、前記当止部材２４の突出部は、上端を前側に折曲し、更にその前端を下方へ折曲して当止片２５とし、それにより上部に下方開放した凹溝部を形成した全体として前方開放の係合溝２６を形成している。また、前記棚板７の上面板１４の下面で前記前補強縁１６と間隔を開けてレール部材２７を横設し、前記前補強縁１６とレール部材２７とで略同形の断面形状の前後一対の支持レール２８，２８を形成している。
【００２４】
また、前記ブラケット６は、図４、図５及び図８に示すように、前記基板１２の上縁に前記棚板７の下面板１９を載置する内向きに水平な受板２９を折曲形成するとともに、前端部に前記前補強縁１６の内面に当止し且つ前記上面板１４を載支する側面視略Ｚ字形の前受部３０を形成し、更に前記受板２９の前後中間部を切り起して前記スリット孔２０に嵌入する突片３１を形成するとともに、該突片３１の前端に前記スリット孔２０の前端内縁に係止する爪片３２を突設し、更に前記受板２９の内縁に前記棚板７の下面板１９の内縁を当止する規制板３３を立設するとともに、該規制板３３の前端に前記係合孔２３に嵌入する爪片３４を突設している。
【００２５】
そして、前記ブラケット６の受板２９と前受部３０にそれぞれ前記棚板７の下面板１９と上面板１４とを載置するとともに、前記突片３１をスリット孔２０に嵌入し、更に前記規制板３３を下面板１９の内縁に位置させ、それから前記棚板７を後方へ移動させて前記突片３１の爪片３２をスリット孔２０の前端内縁に係止すると同時に、前記規制板３３の爪片３４を前記横補強部材２２の係合孔２３に嵌入し、更に前受部３０を前補強縁１６の内面に当止した状態とし、それから前記開放部２１に対応する上面板１４の前隅部に形成した開口３５に上方から合成樹脂製の保持部材１５を嵌着して前記前受部３０の後部を当止し、それによりブラケット６に対して棚板７を前後左右及び上下方向の移動を規制した状態で支持するのである。ここで、前記開放部２１は、前記支持レール２８，２８の端部に位置し、また前記開口３５に嵌着した保持部材１５は、後方の支持レール２８の端部に位置している。また、前記開口３５は、前記上面板１４の側端まで延び、その外側には前記側端板１８のみが存在している。
【００２６】
ここで、前方又は後方への棚板７の移動によって該棚板７の上方への移動を規制する係合手段とは、前記スリット孔２０と前記突片３１の爪片３２及び前記係合孔２３と前記規制板３３の爪片３４との係合関係のことである。本実施形態では、前記棚板７を後方へ移動させることにより係合する構造を示したが、逆に前記棚板７を前方へ移動させることにより係合する構造でもよい。その場合には、前記保持部材１５で棚板７の後方移動を規制するのである。
【００２７】
更に詳しくは、前記ブラケット６は、強度を増すためと、正面から見たときの重厚性を出すために、前記基板１２の下縁で前端から後端部にかけて傾斜して下がった縁部を内方へ折曲して折曲板３６を形成し、前記前受部３０は当該折曲板３６の前端に連続して形成している。ここで、前記折曲板３６の横幅は、前記受板２９の横幅に略一致させている。また、前記ブラケット６の基板１２の後端上部には、上方へ延設した立上部３７を形成し、該立上部３７の内縁には前記受板２９に連続するが、該受板２９よりも幅が狭い補強片３８を折曲形成している。また、前記保持部材１５は、上端に鍔部３９を有するとともに、横方向一側に開放した横長の保持溝４０を形成している。
【００２８】
そして、前記仕切部材８は、図３、図４、図７及び図８に示すように、帯状の金属材料又は合成樹脂材料をその長手方向に直角な折曲線で折曲して側面視略三角形状に形成したものである。前記仕切部材８は、前下がりの傾斜部４１の前部に垂直な前脚部４２を折曲形成し、前記傾斜部４１の後部に水平な頂部４３を形成し、該頂部４３の後端に垂直な後脚部４４を折曲形成し、該後脚部４４の下端に後向きに直角に折曲形成した取付片４５に、前記係合溝２６に横方向スライド可能に係合する合成樹脂製の横長ブロック状の係合部材４６を固定したものである。そして、前記仕切部材８は、図７に示すように、前記係合部材４６を前記係合溝２６の端部から挿入するとともに、前記開口３５に嵌着した前記保持部材１５の保持溝４０に上方から前脚部４２の下端を嵌挿して立起状態に保持する。尚、前記前脚部４２の下端部には、左右中央部に下向きに開放したスリット４７を形成している。また、前記仕切部材８の材料は金属製の方が強度の点で好ましい。
【００２９】
また、前記棚板７に載置した小物類が側方へ落下するのを防止するために、図３、図４、図６、図７及び図８に示すように、落下防止部材４８を、前記係合溝２６を利用して棚板７の上面板１４の端部に装着している。前記落下防止部材４８は、断面略Ｌ字形の前後方向に延びた本体部４９と、該本体部４９の後端に内方へ平面視略Ｌ字状に屈曲した取付部５０を延設し、更に該取付部５０の後部に断面略ヘ字状に係合片５１を立ち上げ形成している。そして、前記落下防止部材４８の手前を落ち上げた傾斜状態で前記係合片５１を前記係合溝２６に前方から挿入した後、本体部４９を棚板７の上面板１４に載置することにより、前記係合片５１が係合溝２６に係止する。この状態で棚板７の側端まで落下防止部材４８をスライド移動させると、前記係合片５１が前記仕切部材８の係合部材４６に当止するので、側方へ抜け落ちることはないのである。ここで、前記落下防止部材４８の本体部４９は、前記仕切部材８の傾斜部４１の下方に収まり、該仕切部材８との一体感を呈するのである。つまり、前記仕切部材８の横幅と前記落下防止部材４８の本体部４９の横幅は略一致している。
【００３０】
また、中間部の支柱１においては、図９に示すように、隣接する前記棚板７，７がそれぞれ係止孔１１，…に嵌合形成したブラケット６，６にそれぞれ支持され、互いの側端板１８，１８が密接した状態となる。この棚板７，７を連設した状態では、前記開口３５，３５は間に側端板１８，１８を介して左右に並び、また後縁の各係合溝２６，２６は連続する。そこで、前記仕切部材８の後端の係合部材４６を両係合溝２６，２６に跨って係合する一方、前記各開口３５に外側方に、つまり棚板７，７の接合部側に前記保持溝４０の開放部を向けて保持部材１５を嵌着し、前記仕切部材８の前脚部４２の下端を、そのスリット４７内に前記側端板１８，１８を係合すると同時に、両保持部材１５，１５の保持溝４０，４０に嵌挿して取付ける。このように、隣接する棚板７，７の接合線上に共通の仕切部材８を取付けることにより、同時に両棚板７，７を前後左右方向のずれを防止して連結することができるのである。
【図面の簡単な説明】
【００３１】
【図１】本発明を適用した収納棚の全体側面図である。
【図２】同じく収納棚の正面図である。
【図３】支柱に棚板をブラケットにより取付けるとともに、仕切部材と落下防止部材を棚板に取付けた状態の部分斜視図である。
【図４】同じく要部の分解斜視図である。
【図５】ブラケットの拡大斜視図である。
【図６】落下防止部材の拡大斜視図である。
【図７】棚板に仕切部材と落下防止部材を取付ける状態を示す分解斜視図である。
【図８】支柱に棚板をブラケットにより取付けるとともに、仕切部材と落下防止部材を棚板に取付けた状態の部分断面図である。
【図９】隣接する棚板の連設部に仕切部材を取付ける状態を示した部分斜視図である。
【符号の説明】
【００３２】
１  支柱、            ２  机、
３  脚体、            ４  脚取付部材、
５  天板、            ６  ブラケット、
７  棚板、            ８  仕切部材、
９  連結杆、          １０  幕板、
１１  係止孔、        １２  基板、
１３  フック、        １４  上面板、
１５  保持部材、      １６  前補強縁、
１７  後補強縁、      １８  側端板、
１９  下面板、        ２０  スリット孔、
２１  開放部、        ２２  横補強部材、
２３  係合孔、        ２４  当止部材、
２５  当止片、        ２６  係合溝、
２７  レール部材、    ２８  支持レール、
２９  受板、          ３０  前受部、
３１  突片、          ３２  爪片、
３３  規制板、        ３４  爪片、
３５  開口、          ３６  折曲板、
３７  立上部、        ３８  補強片、
３９  鍔部、          ４０  保持溝、
４１  傾斜部、        ４２  前脚部、
４３  頂部、          ４４  後脚部、
４５  取付片、        ４６  係合部材、
４７  スリット、      ４８  落下防止部材、
４９  本体部、        ５０  取付部、
５１  係合片。
【図１】
2008086535.tif 000003
【図２】
2008086535.tif 000004
【図３】
2008086535.tif 000005
【図４】
2008086535.tif 000006
【図５】
2008086535.tif 000007
【図６】
2008086535.tif 000008
【図７】
2008086535.tif 000009
【図８】
2008086535.tif 000010
【図９】
2008086535.tif 000011